(57)【要約】【課題】          本発明の目的は、複数の薄板状の光学部品がひとつのフォルダに収容された光学ローパスフィルタを提供することである。【解決手段】          上記の目的を達成するために本発明は、複数の薄板状の光学部品主面で接するように重ねられた構成の光学ローパスフィルタにおいて、複数の薄板状の光学部品が、それぞれの主面で接するように重ねられ、少なくとも一方の光学部品の最表面から入射された光線が、光学部品を透過して、先述の最表面に対向する他方の光学部品最表面から出射される、開口部を有するフォルダに収容されたことを特徴とし、また、開口部の大きさが収容される光学部品主面よりも小さく、かつ、開閉可能な蓋体をフォルダに有することを特徴として課題を解決する。【選択図】  図１
2007322723.tif 000002
【特許請求の範囲】
【請求項１】
複数の薄板状の光学部品の主面で接するように重ねられた構成の光学ローパスフィルタにおいて、
複数の薄板状の光学部品が、それぞれの主面で接するように重ねられ、少なくとも一方の該光学部品の最表面から入射された光線が、該光学部品を透過して、該最表面に対向する他方の該光学部品最表面から出射される、開口部を有するフォルダに収容されたことを特徴とする光学ローパスフィルタ。
【請求項２】
該開口部の大きさが収容される該光学部品主面よりも小さく、かつ、開閉可能な蓋体を該フォルダに有することを特徴とする請求項１に記載の光学ローパスフィルタ。
【発明の詳細な説明】
【技術分野】
【０００１】
本発明は、フォルダに複数枚の光学部品が保持され、収容されて構成される光学ローパスフィルタに関する。
【背景技術】
【０００２】
主に、複屈折性結晶材料などから成る光学部品の主要な働きは映像機器の映像取り入れ部にあたるレンズを通して映像として入力された光を分離することであり、その形態は複屈折板や、光学フィルタやガラスといった基材が透明の薄板である。
【０００３】
こういった光学部品は、恒温槽の内部のように一定の温度や湿度に保たれた雰囲気の筐体のなかで使用されることは稀であり、一般的には温度や湿度が一定に管理されていないやビデオカメラといった映像機器の筐体内に収容され使用される。
【０００４】
光学部品のなかで、光学ローパスフィルタはビデオカメラのレンズによって結像された映像信号の、撮像素子ＣＣＤの画素ピッチの２分の一よりも高い空間周波数の成分を減衰させモアレをうすくすることを目的として、先述の光学部品が収容される筐体として産業用ビデオカメラから、民生用、一般家庭用ビデオカメラに至るまで広範囲に導入されており、その構成は、一般的に水晶複屈折板同士、或いは水晶複屈折板と水晶位相板を複数枚接着材で貼り合わせた構成のものが使用されている。光学ローパスフィルタを透過して結像された映像信号が、例えば先述の映像機器の固体撮像素子に至る光路をとることにより、必要のない擬似信号の発生が大幅に改善され、搭載された機器の映像品質を著しく高めることが可能となる。
【０００５】
【特許文献１】特開２００４−１７３１３９号公報
【０００６】
なお、出願人は前記した先行技術文献情報で特定される先行技術文献以外には、本発明に関連する先行技術文献を、本件出願時までに発見するに至らなかった。
【発明の開示】
【発明が解決しようとする課題】
【０００７】
しかしながら、従来の光学ローパスフィルタの構造においては、複数枚接着する水晶複屈折板同士、或いは水晶複屈折板と水晶位相板やガラスを互いに貼り合わせる接着作業に、極めて微細な映像信号を扱う光学部品であるために、貼り合わせの精度を確保した作業工程が必要とされるために、多くの工数と作業者の熟練技術を要するといった問題があった。
【０００８】
また、複数枚の接着の水晶複屈折板同士、或いは水晶複屈折板と水晶位相板やガラスを接着する構造上、気泡や塵などの不要な汚染物の接着材層部分での挟み込みによる不良が発生するおそれがあるといった問題があった。
【０００９】
また、接着材を使用するために、組み立てを終えた最終検査の段階で、光学部品の表面のコート膜の欠陥や、傷欠陥が発見された場合、欠陥を持つ一部の薄板だけの交換による修復を行うことが出来ないために、生産歩留りを高めることが困難となるおそれがあった。
【００１０】
本発明は、以上のような技術的背景のもとでなされたものであり、従ってその目的は、フォルダに複数枚の光学部品が保持され、収容されて構成される光学ローパスフィルタを提供することである。
【課題を解決するための手段】
【００１１】
上述する課題を解決するために本発明は、複数の薄板状の光学部品主面で接するように重ねられた構成の光学ローパスフィルタにおいて、複数の薄板状の光学部品が、それぞれの主面で接するように重ねられ、少なくとも一方の光学部品の最表面から入射された光線が、光学部品を透過して、先述の最表面に対向する他方の光学部品最表面から出射される、開口部を有するフォルダに収容されたことを特徴とする。
【００１２】
また、開口部の大きさが収容される光学部品主面よりも小さく、かつ、開閉可能な蓋体をフォルダに有することを特徴とする。
【発明の効果】
【００１３】
本発明の光学ローパスフィルタにより、その生産に接着材を使用することが無いため、著しく生産作業工数を削減することが出来、かつ、生産歩留りを向上することが出来る。
【００１４】
また、組み立てを終えた最終検査の段階で、光学部品の表面のコート膜の欠陥や、傷欠陥が発見された場合、欠陥を持つ一部の薄板だけの交換による修復を行うことが出来るために、生産歩留りを著しく高めることが出来る。
【００１５】
また、本発明の光学ローパスフィルタの外形、即ち光学部品が収容されるフォルダ外形を統一することにより、映像機器側の光学ローパスフィルタの実装のための部品を統一し、光学ローパスフィルタにかかわるトータルコストを著しく削減することが出来る。
【発明を実施するための最良の形態】
【００１６】
以下、添付図面に従ってこの発明の実施例を説明する。なお、各図において同一の符号は同様の対象を示すものとする。
【実施例１】
【００１７】
図１は本発明の光学ローパスフィルタを、その一方の開口部方向からみた概略の模式図である。即ち、複数の薄板状の光学部品主面で接するように重ねられた構成の光学ローパスフィルタにおいて、複数の薄板状の光学部品が、それぞれの主面で接するように重ねられ、少なくとも一方の光学部品の最表面から入射された光線が、光学部品を透過して、先述の最表面に対向する他方の光学部品最表面から出射される、開口部を有するフォルダに収容された光学ローパスフィルタである。また、本発明の光学ローパスフィルタは、先述の開口部の大きさが、収容される光学部品主面よりも小さいために光学部品が脱落することが無く、また、開閉可能な蓋体をフォルダにもつために、容易に光学部品をフォルダ内に収容し、本発明の光学ローパスフィルタが搭載された映像機器を上下に逆さにした場合においても、光学部品が脱落されること無く、安全に保持することが出来る。なお、光学ローパスフィルタは、複数の薄板状の光学部品の組み合わせによって、はじめて所望の特性を得ることが出来るものである。本発明の光学ローパスフィルタにより、その複数の薄板状の光学部品の組み合わせの工程に、接着材を使用することが無いために、著しく生産作業工数を削減することが出来、かつ、生産歩留りを向上することが出来る。更に、本発明の光学ローパスフィルタに使用されるフォルダの材質は、発塵が無く、また温度や湿度が一定に管理されていないやビデオカメラといった映像機器の筐体内に収容された場合でも、変形・歪みを発生することの無いプラスチックや金属といった有機材や無機材から出来ている。
【００１８】
図２は本発明の光学ローパスフィルタを構成する蓋をもつフォルダ内に複数の薄板状の光学部品を収容する様子を、その一方の開口部方向からみた概略の模式図である。なお、蓋体は上部に開閉するようにフォルダに設けられているが、一方の開口部をもつ面が開閉する蓋体になっているフォルダ構造でも構わず、この場合においても本発明の技術的範囲に含まれることは言うまでも無い。
【００１９】
図３は従来の接着材が使用され、複数の薄板の光学部品が各々の主面で貼り合わせられた構成の光学ローパスフィルタの概略の模式図である。
【図面の簡単な説明】
【００２０】
【図１】本発明の光学ローパスフィルタを、その一方の開口部方向からみた概略の模式図である。
【図２】本発明の光学ローパスフィルタのフォルダに複数の薄板状の光学部品を収容し、フォルダの蓋体を閉めて光学部品をフォルダ内部に保持する模様を示す、その一方の開口部方向からみた概略の斜視図である。
【図３】従来の接着材が使用され、複数の薄板の光学部品が各々の主面で貼り合わせられた構成の光学ローパスフィルタの概略の模式図である。
【符号の説明】
【００２１】
１  薄板状の光学部品
２  主面
３  光学ローパスフィルタ
４  一方の光学部品の最表面
５  他方の光学部品最表面
６  開口部
７  フォルダ
８  蓋体
【図１】
2007322723.tif 000003
【図２】
2007322723.tif 000004
【図３】
2007322723.tif 000005